(57)【要約】【課題】  背もたれの位置調整を、容易に且つコストアップになることなく行なうことができるポータブルトイレを提供する。【解決手段】  腰掛け式のトイレ本体１の背部両側にそれぞれ背もたれ支柱２を立設すると共に背もたれ支柱２の上部の上下複数箇所に固定孔３を設ける。背もたれ４の側面に背もたれ支柱２の固定孔３に対応する上下複数箇所に結合孔５を設けると共に上下複数箇所のうち一箇所の結合孔５を中心とする円周上に配置して他箇所の結合孔５を複数個形成する。背もたれ４を背もたれ支柱２の上部間に配置して、背もたれ支柱２の固定孔３に挿着した固定具６を背もたれ４の結合孔５に脱着自在に結合させることによって、背もたれ支柱２に背もたれ４を取り付ける。円周上に配置される複数の結合孔５のうち、固定具６で結合する結合孔５を選択することによって、円周の中心の結合孔５を中心として背もたれ４を回動させて傾斜角度の位置調整ができる。【選択図】  図１
2005130952.tif 000002
【特許請求の範囲】
【請求項１】
腰掛け式のトイレ本体の背部両側にそれぞれ背もたれ支柱を立設すると共に背もたれ支柱の上部の上下複数箇所に固定孔を設け、背もたれの側面に背もたれ支柱の固定孔に対応する上下複数箇所に結合孔を設けると共に上下複数箇所のうち一箇所の結合孔を中心とする円周上に配置して他箇所の結合孔を複数個形成し、背もたれを背もたれ支柱の上部間に配置して、背もたれ支柱の固定孔に挿着した固定具を背もたれの結合孔に脱着自在に結合させることによって、背もたれ支柱に背もたれを取り付けて成ることを特徴とするポータブルトイレ。
【請求項２】
腰掛け式のトイレ本体の背部両側にそれぞれ背もたれ支柱を立設すると共に背もたれ支柱の上部の上下複数箇所に固定孔を設け、背もたれの側面に背もたれ支柱の固定孔に対応する上下複数箇所に結合孔を設けると共に上下複数箇所の各箇所の結合孔を前後方向に複数個ずつ形成し、背もたれを背もたれ支柱の上部間に配置して、背もたれ支柱の固定孔に挿着した固定具を背もたれの結合孔に脱着自在に結合させることによって、背もたれ支柱に背もたれを取り付けて成ることを特徴とするポータブルトイレ。
【請求項３】
腰掛け式のトイレ本体の背部両側にそれぞれ背もたれ支柱を立設すると共に背もたれ支柱の上部の上下複数箇所に固定孔を設け、背もたれの側面に背もたれ支柱の固定孔に対応する上下複数箇所に結合孔を設け、上下複数箇所の各箇所の結合孔を前後方向に複数個ずつ設けると共に上下複数箇所のうち一箇所の結合孔を中心とする円周上に他箇所の複数個の結合孔を配置し、背もたれを背もたれ支柱の上部間に配置して、背もたれ支柱の固定孔に挿着した固定具を背もたれの結合孔に脱着自在に結合させることによって、背もたれ支柱に背もたれを取り付けて成ることを特徴とするポータブルトイレ。
【請求項４】
円周の中心となる結合孔を上下複数箇所のうち一箇所において前後方向に複数個設け、この複数の各結合孔を中心とする円周上に複数個ずつ配置して他箇所に複数個の結合孔を設けて成ることを特徴とする請求項３に記載のポータブルトイレ。
【発明の詳細な説明】
【技術分野】
【０００１】
本発明は、介護用等に用いられる腰掛け式のポータブルトイレに関するものである。
【背景技術】
【０００２】
病人や老人等の介護用の可搬型トイレとして、各種の腰掛け式のポータブルトイレが提供されている。このポータブルトイレは座部となるトイレ本体の背部に背もたれを設け、背もたれに凭れながら座部に腰掛けて、座部内の便受け槽に排便をすることができるようにしたものが一般的である。そして従来のポータブルトイレでは、使用者の体格などに合わせて背もたれの位置調整をすることができず、使い勝手に問題がある。
【０００３】
そこで、背もたれの前後位置や角度などの位置調整をできるようにしたものが提案されている（例えば特許文献１参照）。この特許文献１のものは、左右の背もたれ支柱の上部間に横杆を掛け渡し、この横杆の前面に背もたれを取り付けるにあたって、背もたれの背面と横杆との間にスペーサを取り付けたり取り外したり、あるいはスペーサとして高さの異なるものを用いたりすることによって、背もたれの前後位置の調整や背もたれの取付角度の調整を行なうようにしてある。
【特許文献１】特開２００２−３３０８９５号公報
【発明の開示】
【発明が解決しようとする課題】
【０００４】
しかし特許文献１のものでは上記のように、背もたれの前後位置や角度の調整を行なうには、スペーサという別部品を用いて背もたれの背面側にセットする必要があり、しかもスペーサとして高さの異なる複数種のものを使い分ける必要があり、調整が繁雑になると共に部品点数の増加によってコストアップになる等の問題を有するものであった。さらには、スペーサを外した場合にはそれを保管しておかなければならず、ポータブルトイレを使用するユーザーが部品管理をする必要が生じるという問題もあった。
【０００５】
本発明は上記の点に鑑みてなされたものであり、背もたれの位置調整を、容易に且つコストアップになることなく行なうことができ、しかも部品管理が不要になるポータブルトイレを提供することを目的とするものである。
【課題を解決するための手段】
【０００６】
本発明の請求項１に係るポータブルトイレは、腰掛け式のトイレ本体１の背部両側にそれぞれ背もたれ支柱２を立設すると共に背もたれ支柱２の上部の上下複数箇所に固定孔３を設け、背もたれ４の側面に背もたれ支柱２の固定孔３に対応する上下複数箇所に結合孔５を設けると共に上下複数箇所のうち一箇所の結合孔５を中心とする円周上に配置して他箇所の結合孔５を複数個形成し、背もたれ４を背もたれ支柱２の上部間に配置して、背もたれ支柱２の固定孔３に挿着した固定具６を背もたれ４の結合孔５に脱着自在に結合させることによって、背もたれ支柱２に背もたれ４を取り付けて成ることを特徴とするものである。
【０００７】
この発明によれば、円周上に配置される複数の結合孔５のうち、固定具６で結合する結合孔５を選択することによって、円周の中心の結合孔５を中心として背もたれ４を回動させて傾斜角度の位置調整をすることができるものであり、背もたれ４の傾斜角度の位置調整をするにあたってスペーサなどの別部品を用いる必要がなく、背もたれ支柱２に背もたれ４を固定具６で取り付ける際に容易に位置調整を行なうことができると共に、コストアップになることもないものである。
【０００８】
また本発明の請求項２に係るポータブルトイレは、腰掛け式のトイレ本体１の背部両側にそれぞれ背もたれ支柱２を立設すると共に背もたれ支柱２の上部の上下複数箇所に固定孔３を設け、背もたれ４の側面に背もたれ支柱２の固定孔３に対応する上下複数箇所に結合孔５を設けると共に上下複数箇所の各箇所の結合孔５を前後方向に複数個ずつ形成し、背もたれ４を背もたれ支柱２の上部間に配置して、背もたれ支柱２の固定孔３に挿着した固定具６を背もたれ４の結合孔５に脱着自在に結合させることによって、背もたれ支柱２に背もたれ４を取り付けて成ることを特徴とするものである。
【０００９】
この発明によれば、上下複数箇所の各箇所の前後複数の結合孔５のうち、固定具６で結合する結合孔５を選択することによって、背もたれ４を前後に移動させて位置調整することができるものであり、背もたれ４の前後方向の位置調整をするにあたってスペーサなどの別部品を用いる必要がなく、背もたれ支柱２に背もたれ４を固定具６で取り付ける際に容易に位置調整を行なうことができると共に、コストアップになることもないものである。
【００１０】
また本発明の請求項３に係るポータブルトイレは、腰掛け式のトイレ本体１の背部両側にそれぞれ背もたれ支柱２を立設すると共に背もたれ支柱２の上部の上下複数箇所に固定孔３を設け、背もたれ４の側面に背もたれ支柱２の固定孔３に対応する上下複数箇所に結合孔５を設け、上下複数箇所の各箇所の結合孔５を前後方向に複数個ずつ設けると共に上下複数箇所のうち一箇所の結合孔５を中心とする円周上に他箇所の複数個の結合孔５を配置し、背もたれ４を背もたれ支柱２の上部間に配置して、背もたれ支柱２の固定孔３に挿着した固定具６を背もたれ４の結合孔５に脱着自在に結合させることによって、背もたれ支柱２に背もたれ４を取り付けて成ることを特徴とするものである。
【００１１】
この発明によれば、上下複数箇所の各箇所の前後複数の結合孔５のうち、固定具６で結合する結合孔５を選択することによって、背もたれ４を前後に移動させて位置調整することができると共に、円周上に配置される複数の結合孔５のうち、固定具６で結合する結合孔５を選択することによって、円周の中心の結合孔５を中心として背もたれ４を回動させて傾斜角度の位置調整をすることができるものであり、背もたれの前後及び傾斜角度の位置調整をするにあたってスペーサなどの別部品を用いる必要がなく、背もたれ支柱２に背もたれ４を固定具６で取り付ける際に容易に位置調整を行なうことができると共に、コストアップになることもないものである。
【００１２】
また請求項４の発明は、請求項３において、円周の中心となる結合孔５を上下複数箇所のうち一箇所において前後方向に複数個設け、この複数の各結合孔５を中心とする円周上に複数個ずつ配置して他箇所に複数個の結合孔５を設けて成ることを特徴とするものである。
【００１３】
この発明によれば、背もたれ４を前後に移動させて位置調整することができると共に、前後に調整をした位置においても背もたれ４の角度調整をすることができ、ポータブルトイレを利用する人の姿勢や体格により正確に合わせた背もたれ４の位置調整が可能になるものである。
【発明の効果】
【００１４】
本発明によれば、背もたれ４の位置調整をするにあたってスペーサなどの別部品を用いる必要がなく、背もたれ支柱２に背もたれ４を固定具６で取り付ける際に背もたれ４の位置調整を容易に行なうことができるものであり、またコストアップになることもないものである。さらに、スペーサなどの別部品を用いる場合のように、ポータブルトイレを使用するユーザーが部品管理をする必要がなくなるものである。
【発明を実施するための最良の形態】
【００１５】
以下、本発明を実施するための最良の形態を説明する。
【００１６】
図２及び図３は本発明に係るポータブルトイレの一例を示すものであり、トイレ本体１は座部１１の下面の両側に左右一対の脚１２を設けて形成してある。座部１１は上面が開口する箱状に形成されるものであり、開口から座部１１内に防汚トレイ１４をはめ込むと共に防汚トレイ１４内に槽蓋１５を被せた便受け槽１６を収容するようにしてある。防汚トレイ１４の上には中央部が開口となった便座１７が図３のように載置してあり、便座１７の上に図２のように座板１８が載置してある。座板１８は折り畳み自在に形成して後方へ立てた状態で図３のように収納できるようにしてある。
【００１７】
脚１２は前後方向に長い接地体１９に前後一対の脚支柱２０を立設して形成されるものである。そして、脚支柱２０の上部を座部１１に下側から差し込んでネジ止めすることによって、脚１２を座部１１に固定するようにしてあり、ネジ止めする箇所を調整することによって高さ調整ができるようにしてある。さらに接地体１９の後端にはキャスター２１が取り付けてあり、ポータブルトイレを後方へ傾けた状態でキャスター２１によって移動させることができるようにしてある。
【００１８】
また、座部１１の背部側端部の両側端部にそれぞれ背もたれ支柱２が立設してあり、この左右一対の背もたれ支柱２の上部間に背もたれ４が取り付けてある。さらに座部１１の両側には肘掛け２２が取り付けてある。上記の各部材のうち、座部１１、脚１２、背もたれ支柱２、背もたれ４、肘掛け２２は主として木材で形成してあり、ポータブルトイレの全体の外観が木製の家具調を呈するようにしてある。
【００１９】
まず背もたれ支柱２及び背もたれ４の部分について詳しく説明する。左右の各背もたれ支柱２の上部には上下２箇所においてそれぞれ１個ずつ固定孔３が穿設してある。固定孔３は各背もたれ支柱２において左右両面で開口するように形成されるものである。また背もたれ４は図４に示すように、表層部にクッション材を充填したクッション部２３の両側端に木材の端部板２４をビス２５止め固定して形成されるものであり、各端部板２４の側面には上下２箇所においてそれぞれ前後方向に２個ずつ結合孔５が凹設してある。この各結合孔５はナットなどを埋め込んで雌ネジ孔として形成してある。
【００２０】
そして図４（ｂ）に示すように、背もたれ４の両側面の上下２箇所の各結合孔５のうち、下側の２個の結合孔５ａ１，５ａ２と上側の２個の結合孔５ｂ１，５ｂ２において、下側で且つ前の結合孔５ａ１と上側で且つ前の結合孔５ｂ１の上下間隔寸法Ｌ１と、下側で且つ後の結合孔５ａ２と上側で且つ後の結合孔５ｂ２の上下間隔寸法Ｌ１とを等しい寸法に設定してあり、この間隔寸法Ｌ１は上記の背もたれ支柱２の上下２箇所の固定孔３における、下側の固定孔３ａと上側の固定孔３ｂの上下間隔寸法Ｌ１と等しくなるようにしてある。また下側の２個の結合孔５ａ１，５ａ２の前後方向の間隔寸法Ｌ２と上側の２個の結合孔５ｂ１，５ｂ２の前後方向の間隔寸法Ｌ２は等しくなるように設定してある。さらに、上側の２個の結合孔５ｂ１，５ｂ２は下側で且つ前の結合孔５ａ１を中心とする円周上に配置してあり、従って、結合孔５ａ１と結合孔５ｂ２の上下間隔寸法もＬ１に設定されるようにしてある。
【００２１】
背もたれ４を背もたれ支柱２に取り付けるにあたっては、左右の背もたれ支柱２の上部間に背もたれ４を配置し、そして図５に示すように、背もたれ支柱２の上下の各固定孔３にボルトで形成される固定具６を挿通すると共に背もたれ４の上下の各結合孔５に固定具６をねじ込んで結合することによって、行なうことができる。そして背もたれ支柱２の下側の固定孔３ａに挿通した固定具６を、図６（ａ）のように、背もたれ４の下側で且つ前の結合孔５ａ１に結合させると共に上側の固定孔３ｂに挿通した固定具６を上側で且つ前の結合孔５ｂ１に結合させることによって、図２、図３に示すように標準位置に背もたれ４を取り付けることができるようにしてある（図６において、固定具６を結合させる結合孔５を塗り潰しで表示する）。
【００２２】
また下側の固定孔３ａに挿通した固定具６を、図６（ｃ）のように、下側で且つ前の結合孔５ａ１に結合させると共に上側の固定孔３ｂに挿通した固定具６を上側で且つ後の結合孔５ｂ２に結合させるようにすることによって、結合孔５ａ１を中心として背もたれ４の上部を前方へ回動させて、図１（ｂ）のように傾斜させた状態で背もたれ４を取り付けることができるものである。さらに下側の固定孔３ａに挿通した固定具６を、図６（ｂ）のように、下側で且つ後の結合孔５ａ２に結合させると共に上側の固定孔３ｂに挿通した固定具６を上側で且つ後の結合孔５ｂ２に結合させるようにすることによって、背もたれ４を前方へ平行移動させて、図１（ａ）のように前方へ移動させた状態で背もたれ４を取り付けることができるものである。
【００２３】
このように背もたれ支柱２に背もたれ４を固定具６で取り付ける際に、背もたれ支柱２の固定孔３に挿着した固定具６を結合させる背もたれ４の結合孔５を選択することによって、ポータブルトイレを利用する人の姿勢や体格に合わせて、図１（ｂ）のように背もたれ４の傾斜角度の位置調整や、図１（ａ）のように背もたれ４の前後方向の位置調整を容易に行なうことができるものである。またこの位置調整にスペーサのような別部品を用いる必要がないので、コストアップになることもないものである。
【００２４】
図７は他の実施例を示すものであり、背もたれ４の両側面の上下２箇所のうち、下側には前後方向に２個の結合孔５ａ１，５ａ２を設けると共に上側には前後方向に３個の結合孔５ｂ１，５ｂ２，５ｂ３を設けるようにしてある。そして下側の２個の結合孔５ａ１，５ａ２の前後方向の間隔寸法Ｌ２と、上側の３個の結合孔５ｂ１，５ｂ２，５ｂ３の隣り合う前後方向の間隔寸法Ｌ２は等しくなるように設定してある。また上側で且つ前と中央の結合孔５ｂ１，５ｂ２は下側で且つ前の結合孔５ａ１を中心とする円周上に配置してあり、従って結合孔５ａ１と結合孔５ｂ１の上下間隔寸法Ｌ１と、結合孔５ａ１と結合孔５ｂ２の上下間隔寸法Ｌ１は等しい寸法に設定されるようにしてある。さらに、上側で且つ中央と後の結合孔５ｂ２，５ｂ３は下側で且つ後の結合孔５ａ２を中心とする円周上に配置してあり、従って結合孔５ａ２と結合孔５ｂ２の上下間隔寸法Ｌ１と、結合孔５ａ２と結合孔５ｂ３の上下間隔寸法Ｌ１は等しい寸法に設定されるようにしてある。これらの上下間隔Ｌ１は、背もたれ支柱２の下側の固定孔３ａと上側の固定孔３ｂの上下間隔寸法Ｌ１と等しくなるように設定してある。
【００２５】
このように形成される背もたれ４にあって、背もたれ支柱２の下側の固定孔３ａに挿通した固定具６を、図７（ａ）のように、背もたれ４の下側で且つ前の結合孔５ａ１に結合させると共に上側の固定孔３ｂに挿通した固定具６を上側で且つ前の結合孔５ｂ１に結合させることによって、標準位置に背もたれ４を取り付けることができる。また下側の固定孔３ａに挿通した固定具６を、図７（ｂ）のように、下側で且つ前の結合孔５ａ１に結合させると共に上側の固定孔３ｂに挿通した固定具６を上側で且つ中央の結合孔５ｂ２に結合させるようにすることによって、結合孔５ａ１を中心として背もたれ４の上部を前方へ傾斜させて位置調整した状態で背もたれ４を取り付けることができる。さらに下側の固定孔３ａに挿通した固定具６を、図７（ｃ）のように、下側で且つ後の結合孔５ａ２に結合させると共に上側の固定孔３ｂに挿通した固定具６を上側で且つ中央の結合孔５ｂ２に結合させるようにすることによって、背もたれ４を平行移動させて前方へ位置調整した状態で背もたれ４を取り付けることができるものである。さらに下側の固定孔３ａに挿通した固定具６を、図７（ｄ）のように、下側で且つ後の結合孔５ａ２に結合させると共に上側の固定孔３ｂに挿通した固定具６を上側で且つ後の結合孔５ｂ３に結合させるようにすることによって、背もたれ４を前方へ位置調整した状態で背もたれ４を前方へ傾斜させる角度調整をすることができる。
【００２６】
このようにして、背もたれ４の取付位置を前後方向に調整することができると共に、前後方向に調整をしたいずれの位置においても背もたれ４の角度調整をすることができるものであり、ポータブルトイレを利用する人の姿勢や体格により正確に合わせた背もたれ４の位置調整が可能になるものである。
【００２７】
尚、上記の各実施の形態では、背もたれ支柱２の上下２箇所に固定孔３を設け、背もたれ４の側面の上下２箇所に結合孔５を設けるようにしたが、これのみに限定されるものではなく、上下３箇所以上であってもよい。また結合孔５は前後方向に２個あるいは３個設けるようにしたが、これのみに限定されるものではなく、これらの個数以上であってもよい。
【００２８】
次に、トイレ本体１の座部１１内にセットされる防汚トレイ１４と便受け槽１６について説明する。防汚トレイ１４はプラスチック成形品で一体に形成されるものであり、図８及び図９に示すように、上面が開口するトレイ本体２７の上端縁の全周にフランジ２８を張り出して設けることによって形成してある。このフランジ２８の両側端縁と後端縁には断面横Ｌ字形に立ち上がって外方へ突出するカバー片２９が設けてある。両側端縁に位置するカバー片２９の後端部にはそれぞれ軸受け凹部３０が凹設してある。また便受け槽１６もプラスチック成形品でバケツ形状に形成されるものであり、図１０に示すように取っ手３１が起倒回動自在に取り付けてある。この便受け槽１６の上面の開口には槽蓋１５を脱着自在に被せて閉じることができるようにしてある。
【００２９】
防汚トレイ１４は座部１１内にその上面の開口からトレイ本体２７を落とし込むように差し込み、フランジ２８を座部１１の開口周辺の上面に載置することによって、座部１１にセットされるものであり、座部１１の上面の両側端部及び後端部において一段高くなった段部３２にカバー片２９が被さるようにしてある。このように防汚トレイ１４を座部１１にセットした後に、トレイ本体２７内に便受け槽１６を収容するものである。
【００３０】
また防汚トレイ１４の上にはプラスチック成形品の便座１７がセットされるようになっている。便座１７の後端部の両側には図１１のように軸ピン３５が突設してあり、この軸ピン３５を防汚トレイ１４の軸受け凹部３０に回動自在に差し込むことによって、図３のように防汚トレイ１４のフランジ２８の上に載置される状態と、図１０のように防汚トレイ１４の後端部において立ち上がる状態との間で、便座１７を上下回動自在に取り付けるようにしてある。便座１７を図１０のように立ち上げることによって、防汚トレイ１４のトレイ本体２７への便受け槽１６の出し入れを行なうことができるものである。さらに便座１７を引き上げることによって、軸受け凹部３０から軸ピン３５を抜いて図１１のように便座１７を取り外すことができ、清掃が容易になるようにしてある。
【００３１】
次に、便座１７の上に載置される座板１８について説明する。座板１８はクッション材を上面に充填した前板３７と後板３８からなるものであり、図１２に示すように前板３７の後端下面と後板３８の前端下面を蝶番３９で上方へ折り畳み回動自在に連結するようにしてある。前板３７の前端部には取っ手具４０が取着してある。後板３８の後端縁の両側端部の下面にはそれぞれ枢支金具４１が取り付けてある。そしてトイレ本体１の座部１１の後端に取着した受け金具４７に枢支金具４１を上下回動自在に枢着することによって、図１３のように、座板１８の後端部を座部１１の後端部に枢支連結してある。
【００３２】
そして、座板１８の前板３７と後板３８を延ばした状態で便座１７の上にクッションを有する座板１８を図２のように載置することによって、座板１８の上に座ることができるものであり、ポータブルトイレを椅子として使用することができるものである。次に、排便を行なう場合には、枢支金具４１を受け金具４７に対して回動させ、座板１８を上方に折り畳みながら座板１８を後方へ回動させて、図３のように座板１８を折り畳んだ状態で座部１１の後端部において立設させる。このように座板１８を立設させた状態では、図３のように座板１８は左右の背もたれ支柱２と背もたれ４で囲まれる部分に収納され、便座１７を露出させることができるので、槽蓋１５を開いた後に、便座１７の上に座って、便受け槽１６に排便をすることができるものである。
【００３３】
このように便受け槽１６に排便を行なうにあたって、便受け槽１６は防汚トレイ１４内に収容してあるので、排便の際に汚物が飛散して便受け槽１６からはみ出しても、この汚物は防汚トレイ１４で受けることができ、汚物が室内の床に付着したり、汚物が座部１１の内部に付着したりすることを防ぐことができるものである。防汚トレイ１４には面積の大きいフランジ２８が設けてあり、しかもその周囲にカバー片２９が立ち上げて設けてあるので、汚物が飛散して座部１１に付着することをより有効に防止することができるものである。また防汚トレイ１４は座部１１から取り外すことができるので、容易に洗浄することができるものである。
【００３４】
次に、座部１１の両側に設けられる肘掛け２２について説明する。肘掛け２２は図２や図３に示すように、表面をクッション材などで形成した肘掛け板５５の前部下面に肘掛け支柱５６を設けて形成してある。肘掛け支柱５６はその上端を軸ピン５７で肘掛け板５５の下面に枢着してあり、肘掛け板５５の下面に垂直に突出する状態と肘掛け板５５の下面に沿わせた折り畳み状態との間で肘掛け支柱５６を回動自在にしてある。肘掛け支柱５６の下端部には差し込み片５８が図２１等に示すように下方へ突出して設けてあり、また図１９に示すように係止具５９がその中央部を軸６０でシーソー回動自在に肘掛け支柱５６の下端部に取り付けてある。係止具５９の下端の内側には係止爪６１が突設してあり、係止爪６１が肘掛け支柱５６の側に近接する方向に係止具５９をバネ付勢してある。
【００３５】
肘掛け板５５の後端部には図１４に示す支持金具６３が取り付けてある。支持金具６３は回動金具６４と固定金具６５からなるものであり、回動金具６４は図１５に示すように、固定板６６の一側端に回動筒６７を溶接等で固着して形成してあり、固定板６６には複数の止め孔６８が穿設してある。また固定金具６５は図１６に示すように、二股状固定板６９の基部に側方へ突出するように受け軸７０を固着して形成してあり、受け軸７０には突出先端面に開口するネジ穴７１が凹設してある。二股状固定板６９は平行な内側片７２と外側片７３からなるものであり、内側片７２には２つの固定用孔７４が、外側片７３には一つの固定用孔７４がそれぞれ穿設してある。
【００３６】
そして回動金具６４の回動筒６７に固定金具６５の受け軸７０を差し込み、受け軸７０のネジ穴７１にネジ７６をねじ込むことによって、ネジ７６のネジ頭７７で回動筒６７の端面を押えて回動筒６７の抜け止めとなし、図１４のような、回動金具６４と回動筒６７を回動自在に連結した支持金具６３を組み立てることができるものである。図１４において７８はワッシャである。ここで、ネジ７６を受け軸７０のネジ穴７１にねじ込むにあたって、強く締め付けてねじ込むと、ネジ頭７７で回動筒６７を押える力が強くなって回動筒６７の回動抵抗が大きくなり、固定金具６５に対して回動金具６４を回動させるのに必要な力が大きくなる。従って、ネジ７６の締め付けに応じて固定金具６５に対して必要な回動金具６４の回動トルク力を調整することができるものである。
【００３７】
このように形成される支持金具６３は、図１７に示すように、回動金具６４の固定板６６を肘掛け板５５の後端部の下面に当接し、止め孔６８に木ネジ８０を通して肘掛け板５５にねじ込んで、固定板６６を肘掛け板５５の下面に固着することによって、肘掛け板５５に取り付けられるものである。支持金具６３の固定金具６５は図１４に示すように肘掛け板５５の一方の側端から側方に突出している。
【００３８】
一方、左右の各背もたれ支柱２の下部には上下複数箇所に固定用受け穴８１が設けてある。これらの固定用受け穴８１はナットを埋め込んでネジ穴として形成してある。固定用受け穴８１は図１８に示すように、各背もたれ支柱２の外側に３個、内側に４個設けるようにしてある。
【００３９】
そして肘掛け２２の後部は背もたれ支柱２に支持して取り付けられるものである。すなわち、図２０に示すように、支持金具６３の固定金具６５の二股状固定板６９の間に背もたれ支柱２の後部を被挿し、図２０（ｂ）のように二股状固定板６９の内側片７２の２個の固定用孔７４を通した固定ネジ８２を背もたれ支柱２の内側の固定用受け穴８１にねじ込むと共に、図２０（ｃ）のように二股状固定板６９の外側片７３の１個の固定用孔７４を通した固定ネジ８２を背もたれ支柱２の外側の固定用受け穴８１にねじ込むことによって、背もたれ支柱２に固定金具６４を固定することができるものであり、このように背もたれ支柱２に固定金具６４で支持金具６３を固定することで、肘掛け２２の後部を背もたれ支柱２に支持金具６３によって取り付けることができるものである。
【００４０】
また、座部１１の両側面の前端部には支柱受け具８３が取り付けてある。支柱受け具８３は樹脂成形品などで形成されるものであり、図１９に示すように、上面で開口する受け凹部８４が凹設してある。また支柱受け具８３の前面の下部には係止凹部８５が凹設してある。さらに支柱受け具８３には二箇所に固定用孔８６が穿設してある。一方、座部１１の両側面の前端部には図２０等に示すように上下複数箇所、例えば上下４箇所において固定用受け穴８７が設けてある。これらの固定用受け穴８７はナットを埋め込んでネジ穴として形成してある。支柱受け具８３は、その固定用孔８６を挿通した固定ネジ８８を固定用受け穴８７にねじ込むことによって、座部１１の両側面の前端部に固定されるものである。
【００４１】
そして、図１９のように肘掛け２２の前部に垂下した肘掛け支柱５６の下端の差し込み片５８を支柱受け具８３の受け凹部８４に上方から差し込むと共に、係止具５９の係止爪６１をそのばね付勢力で支柱受け具８３の係止凹部８５に係止させる。このようにして図２や図３等のように、肘掛け支柱５６を支柱受け具８３に結合させて支持することができるものであり、肘掛け２２の後部を支持金具６３によって背もたれ支柱２に、前部を支柱受け具８３によって座部１１の側部の前端部にそれぞれ支持して、肘掛け２２をトイレ本体１の座部１１の両側に取り付けることができるものである。
【００４２】
ここで、トイレ本体１の座部１１の両側に上記のように取り付けた肘掛け２２が邪魔になることがある。このときには、まず図２１（ａ）の矢印のように係止具５９の上部を押えて回動させ、係止具５９の係止爪６１を支柱受け具８３の係止凹部８５から外し、そして図２１（ｂ）のように肘掛け支柱５６の差し込み片５８を支柱受け具８３の受け凹部８４から抜いて、支持金具６３の回動金具６４を固定金具６５に対して回動させることによって肘掛け板５５を上方へ回動させ、図２１（ｃ）のように肘掛け板５５を背もたれ支柱２の外側に背もたれ支柱２と平行になるように立てることができる。肘掛け板５５をこのように立てた後に、肘掛け支柱５６を回動させて折り畳むことができるようになっている。このように、肘掛け２２を跳ね上げて座部１１の背部に収容することによって、座部１１の側方が開放された状態にすることができるものであり、トイレ本体１の横方向に体を移動させながら、ベッドから座部１１の上に移乗したり、座部１１からベッドに移乗したりすることができるものであり、ベッドと座部１１との間の移乗が容易になるものである。
【００４３】
また、トイレ本体１の座部１１に座る人の体格に合わせて肘掛け２２の高さ調整を行なうにあたっては、まず、固定ネジ８２を抜いて、背もたれ支柱２から支持金具６３の固定金具６５を外し、また固定ネジ８８を抜いて、座部１１から支柱受け具８３を外す。そして、背もたれ支柱２に上下複数設けた固定用受け穴８１のうち、調整する高さに応じた固定用受け穴８１を選択して、固定金具６５の二股状固定板６９の内側片７２や外側片７３の固定用孔７４を通した固定ネジ８２をねじ込むことによって、背もたれ支柱２に調整した高さで支持金具６３を取り付ける。また座部１１の側面に上下複数設けた固定用受け穴８７のうち、調整する高さに応じた固定用受け穴８７を選択して、支柱受け具８３の固定用孔８６を挿通した固定ネジ８８をねじ込むことによって、座部１１の側面に調整した高さで支柱受け具８３を取り付ける。このように背もたれ支柱２への支持金具６３の取り付け高さを調整することによって、肘掛け板５５の支持高さを調整できると共に、座部１１への支柱受け具８３の取り付け高さを調整することによって、肘掛け支柱５６の支持高さを調整できるものであり、肘掛け２２の高さ調整を行なうことができるものである。
【００４４】
ここで、既述のように、支持金具６３は、ネジ７６の締め付けに応じて固定金具６５に対する回動金具６４の回動トルクを調整できるように形成してあり、肘掛け２２を跳ね上げ回動させるトルク力の調整ができるようにしてある。そして背もたれ支柱２に対する支持金具６３の高さ調整は、背もたれ支柱２に固定金具６５を固定ネジ８２で固定する高さを調整することによって行なわれるので、支持金具６３を高さ調整するにあたってネジ７６の締付が変化することがなく、肘掛け２２の高さ調整によって肘掛け２２を跳ね上げ回動させるトルク力が変化してしまうようなことはないものである。
【００４５】
トイレ本体１の座部１１の両側面にはそれぞれ開口部９３が形成してあり、この両開口部９３の少なくとも一方には収納容器９４が取り付けてある。収納容器９４は図２２に示すように、前面板９５の背面下端に下面板９６を背方向へ突出して設けると共に前面板９５と下面板９６の両側端間に側面板９７を設けることによって、背面及び上面が開口する箱状に形成してある。前面板９５には取っ手用開口９９が設けてあり、前面板９５の両側の下端にはそれぞれ回動軸１００が突設してある。また両側の各側面板９７にはトイレットペーパー支持用軸受け凹部１０１が凹設してあり、この軸受け凹部１０１より上側において各側面板９７に蓋保持凹部１０２が凹設してある。さらに一方の側面板９７の外面の下端には開き止め突部１０３が突設してある。円柱状のトイレットペーパーホルダー１０４は、その両端面に突設した軸１０５を各側面板９７の軸受け凹部１０１に抜き差し自在に差し込むことによって、図２４に示すように側面板９７間に回動自在に取り付けるようにしてある。
【００４６】
収納容器９４は開口部９３の箇所において座部１１内に配置されるものであり、両下端の回動軸１００を座部１１内に設けた軸受け部（図示省略）に回動自在に枢支することによって、座部１１内に取り付けるようにしてある。収納容器９４はその前面板９５が開口部９３内において座部１１の外側面と面一になる収納状態と、開口部９３から前面板９５や側面板９７が外方へ突出する状態との間で回動自在になっている。開き止め突部１０３が開口部９３の背面側縁部に当接することによって、収納容器９４が開口部９３から突出した状態を保持できるようにし、また収納容器９４がこれ以上開口部９３から飛び出さないようにしてある。
【００４７】
収納容器９４にはトイレットペーパーホルダー１０４に保持した状態でロール状のトイレットペーパー１０６を収納することができるものであり、排便が終わった後に、収納容器９４を引き出して座部１１の開口部９３から突出させることによって、図２３のようにトイレットペーパー１０６を座部１１内から飛び出させ、トイレトペーパー１０６を使用することができるものである。またこのように収納容器９４を引き出して座部１１の開口部９３から突出させると、収納容器９４に設けた蓋保持凹部１０２が座部１１の外側へ飛び出すものであり、この蓋保持凹部１０２に図２５のように便蓋１５の側部を差し込んで立てかけ、便蓋１５を保持させることができるものである。従って、排便する時に便受け槽１６から外した便蓋１５を、トイレットペーパー１０６を収納するための収納容器９４を利用して保持することができ、便蓋１５の置き場所にこまるというような問題がなくなるものである。
【図面の簡単な説明】
【００４８】
【図１】本発明の実施の形態の一例における背もたれ部分を示すものであり、（ａ），（ｂ）はそれぞれ一部の側面図である。
【図２】本発明の実施の形態の一例を示す斜視図である。
【図３】同上の一部を破断した斜視図である。
【図４】同上の背もたれを示すものであり、（ａ）は正面図、（ｂ）は側面図である。
【図５】同上の一部の分解斜視図である。
【図６】同上の背もたれの位置調整を示すものであり、（ａ）〜（ｃ）はそれぞれ概略図である。
【図７】同上の背もたれの他の例の位置調整を示すものであり、（ａ）〜（ｄ）はそれぞれ概略図である。
【図８】同上の防汚トレイの斜視図である。
【図９】同上の防汚トレイを示すものであり、（ａ）は平面図、（ｂ）は便受け槽を収容した状態の断面図、（ｃ）は側面断面図である。
【図１０】同上の一部の斜視図である。
【図１１】同上の一部の斜視図である。
【図１２】同上の座板を示すものであり、（ａ）は正面図、（ｂ）は側面図、（ｃ）は底面図である。
【図１３】同上の座板の取付状態を示す一部の背面図である。
【図１４】同上の支持金具を示す一部破断した平面図である。
【図１５】同上の回動金具を示すものであり、（ａ）は正面図、（ｂ）は平面図、（ｃ）は底面図、（ｄ）は側面図である。
【図１６】同上の固定金具を示すものであり、（ａ）は正面図、（ｂ）は平面図、（ｃ）は底面図、（ｄ）は側面図である。
【図１７】同上の座板の一部の断面図である。
【図１８】同上の一部の分解斜視図である。
【図１９】同上の一部の正面図である。
【図２０】同上の肘掛けの取付状態を示すものであり、（ａ）は斜視図、（ｂ）は一部の斜視図、（ｃ）は一部の斜視図である。
【図２１】同上の肘掛けの跳ね上げの操作を示すものであり、（ａ）は一部の拡大した斜視図、（ｂ），（ｃ）は一部の斜視図である。
【図２２】同上の収納容器を示すものであり、（ａ）は正面図、（ｂ）は側面図、（ｃ）は平面図である。
【図２３】同上の斜視図である。
【図２４】同上の一部の拡大した斜視図である。
【図２５】同上の使用状態の一部の斜視図である。
【符号の説明】
【００４９】
１  トイレ本体
２  背もたれ支柱
３  固定孔
４  背もたれ
５  結合孔
６  固定具
【図１】
2005130952.tif 000003
【図２】
2005130952.tif 000004
【図３】
2005130952.tif 000005
【図４】
2005130952.tif 000006
【図５】
2005130952.tif 000007
【図６】
2005130952.tif 000008
【図７】
2005130952.tif 000009
【図８】
2005130952.tif 000010
【図９】
2005130952.tif 000011
【図１０】
2005130952.tif 000012
【図１１】
2005130952.tif 000013
【図１２】
2005130952.tif 000014
【図１３】
2005130952.tif 000015
【図１４】
2005130952.tif 000016
【図１５】
2005130952.tif 000017
【図１６】
2005130952.tif 000018
【図１７】
2005130952.tif 000019
【図１８】
2005130952.tif 000020
【図１９】
2005130952.tif 000021
【図２０】
2005130952.tif 000022
【図２１】
2005130952.tif 000023
【図２２】
2005130952.tif 000024
【図２３】
2005130952.tif 000025
【図２４】
2005130952.tif 000026
【図２５】
2005130952.tif 000027